【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
周期的イベントと関連のある情報を備えているマイルストーンのメッセージを第１アプリケーションから受信するステップと、
前記マイルストーン・メッセージの情報に、ルールに基づくプロセスを適用するステップと、
前記マイルストーンに応答して、トリガを第２アプリケーションに送るステップであって、前記トリガが前記マイルストーンに応答して前記第２アプリケーションの処理を開始する、ステップと、
を備えている、方法。
【請求項２】
請求項１記載の方法であって、前記受信したマイルストーンに基づいて、追加のマイルストーンを導出するステップを備えている、方法。
【請求項３】
請求項１記載の方法であって、所定の階層構造に基づいて処理ステータスを判定するために１つ以上のマイルストーンを橋絡するステップを備えている、方法。
【請求項４】
請求項３記載の方法であって、前記所定の階層構造に基づいて場所の処理ステータスを判定するために、多数の前記マイルストーンを上向きに橋絡して該多数のマイルストーンを１つのマイルストーンに結集するステップを備えている、方法。
【請求項５】
請求項３記載の方法であって、前記所定の階層構造に基づいて場所の処理ステータスを判定するために、１つのマイルストーンを下向きに橋絡して前記１つのマイルストーンを多数のマイルストーンに分解するステップを備えている、方法。
【請求項６】
請求項１記載の方法であって、コンピュータ・システムの故障に対処するために、手動の介入を受けるステップを備えている、方法。
【請求項７】
請求項１記載の方法であって、後のマイルストーンの発生を検出するために、入来するマイルストーンを監視するステップを備えている、方法。
【請求項８】
請求項１記載の方法であって、業務サイクル・インスタンスの作成、業務サイクル・インスタンスの終了、マイルストーンのアサート、応答を伴うトリガの送信、トリガの保留、およびトリガの解放のいずれか１つについて監査形跡を記録するステップを備えている、方法。
【請求項９】
請求項１記載の方法であって、
業務サイクル・インスタンスを作成するステップと、
業務サイクル・インスタンスの状態をアクティブに維持するステップと、
業務サイクル・インスタンスの開始または終了を検出するステップと、
を備えている、方法。
【請求項１０】
周期的イベントと関連のある情報を備えているマイルストーンのメッセージを第１アプリケーションから受信し、ルールに基づくプロセスを前記マイルストーン・メッセージの情報に適用し、前記マイルストーンに応答してトリガを第２アプリケーションに送る、マイルストーン・マネージャを備えており、
前記トリガが、前記マイルストーンに応答して、前記第２アプリケーションの処理を開始する、装置。
【請求項１１】
請求項１０記載の装置であって、前記受信したマイルストーンに基づいて追加のマイルストーンを導出するマイルストーン・コントローラを備えている、装置。
【請求項１２】
請求項１０記載の装置において、前記マイルストーン・コントローラは、所定の階層構造に基づいて処理ステータスを判定するために１つ以上のマイルストーンを橋絡する、装置。
【請求項１３】
請求項１２記載の装置において、前記マイルストーン・コントローラは、前記所定の階層構造に基づいて場所の処理ステータスを判定するために、多数のマイルストーンを上向きに橋絡して該多数のマイルストーンを１つのマイルストーンに結集する、装置。
【請求項１４】
請求項１２記載の装置において、前記マイルストーン・コントローラは、前記所定の階層構造に基づいて場所の処理ステータスを判定するために、１つのマイルストーンを下向きに橋絡して該１つのマイルストーンを多数のマイルストーンに分解する、装置。
【請求項１５】
請求項１０記載の装置であって、コンピュータ・システムの故障に対処するために、手動の介入を受けるグラフィカル・ユーザ・インターフェース・サービス・モジュールを備えている、装置。
【請求項１６】
請求項１０記載の装置であって、後のマイルストーンの発生を検出するために、入来するマイルストーンを監視する監視モジュールを備えている、装置。
【請求項１７】
請求項１０記載の装置であって、業務サイクル・インスタンスの作成、業務サイクル・インスタンスの終了、マイルストーンのアサート、応答を伴うトリガの送信、トリガの保留、およびトリガの解放のいずれか１つについて監査形跡を記録する監査形跡記録部を備えている、装置。
【請求項１８】
請求項１０記載の装置であって、業務サイクル・インスタンスを作成し、前記業務サイクル・インスタンスの状態をアクティブに維持し、および業務サイクル・インスタンスの開始または終了を検出することに関連する情報を記録する、業務サイクル・インスタンス・コントローラを備えている、装置。
【請求項１９】
周期的イベントと関連のある情報を備えているマイルストーンのメッセージを第１アプリケーションから受信し、ルールに基づくプロセスを前記マイルストーン・メッセージの情報に適用し、前記マイルストーンに応答してトリガを第２アプリケーションに送り、前記トリガが、前記マイルストーンに応答して、前記第２アプリケーションの処理を開始する、マイルストーン・マネージャと、
前記マイルストーン・マネージャに結合されたアプリケーション・サーバであって、前記マイルストーンを送る前記第１アプリケーションを実行可能である、アプリケーション・サーバと、
を備えている、システム。
【請求項２０】
請求項１９記載のシステムであって、前記受信したマイルストーンに基づいて追加のマイルストーンを導出し、所定の階層構造に基づいて処理ステータスを判定するために１つ以上のマイルストーンを橋絡する、マイルストーン・コントローラを備えている、システム。
【請求項２１】
請求項１９記載のシステムであって、前記アプリケーション・サーバのシステムに対処するために手動の介入を受けるグラフィカル・ユーザ・インターフェース・サービス・モジュールを備えている、システム。
【請求項２２】
請求項１９記載のシステムであって、前記アプリケーション・サーバから、後のマイルストーンの発生を検出するために入来するマイルストーンを監視する監視モジュールを備えている、システム。
【請求項２３】
請求項１９記載のシステムであって、業務サイクル・インスタンスの作成、業務サイクル・インスタンスの終了、マイルストーンのアサート、応答を伴うトリガの送信、トリガの保留、およびトリガの解放のいずれか１つについて監査形跡を記録する監査形跡記録部を備えている、システム。
【請求項２４】
請求項１９記載のシステムであって、業務サイクル・インスタンスを作成し、前記業務サイクル・インスタンスの状態をアクティブに維持し、業務サイクル・インスタンスの開始または終了を検出することに関連する情報を記録する、業務サイクル・インスタンス・コントローラを備えている、システム。
【請求項２５】
命令を格納するコンピュータ読み取り可能媒体を備えている物品であって、前記命令は、プロセッサによって実行すると、該プロセッサに、マイルストーン・メッセージを第１アプリケーションから受信させ、該マイルストーン・メッセージが周期的イベントと関連のある情報を備えており、ルールに基づくプロセスを前記マイルストーン・メッセージ情報に適用させ、前記マイルストーンに応答してトリガを第２アプリケーションに送らせ、前記トリガが、前記マイルストーンに応答して、前記第２アプリケーションの処理を開始する、物品。
【請求項２６】
請求項２５記載の物品において、前記命令は、前記プロセッサに、前記受信したマイルストーンに基づいて追加のマイルストーンを導出させる、物品。
【請求項２７】
請求項２５記載の物品において、前記命令は、前記プロセッサに、所定の階層構造に基づいて処理ステータスを判定するために１つ以上のマイルストーンを橋絡させる、物品。
【請求項２８】
請求項２７記載の物品において、前記命令は、前記プロセッサに、前記所定の階層構造に基づいて場所の処理ステータスを判定するために、多数の前記マイルストーンを１つのマイルストーンに結集する、物品。
【請求項２９】
請求項２７記載の物品において、前記命令は、前記プロセッサに、前記所定の階層構造に基づいて場所の処理ステータスを判定するために、前記マイルストーンを多数のマイルストーンに分解する、物品。
【請求項３０】
請求項２５記載の物品において、前記命令は、前記プロセッサに、コンピュータ・システムの故障に対処するために、手動の介入を受けさせる、物品。
【請求項３１】
請求項２５記載の物品において、前記命令は、前記プロセッサに、後のマイルストーンの発生を検出するために、入来するマイルストーンを監視させる、物品。
【請求項３２】
請求項２５記載の物品において、前記命令は、前記プロセッサに、業務サイクル・インスタンスの作成、業務サイクル・インスタンスの終了、マイルストーンのアサート、応答を伴うトリガの送信、トリガの保留、およびトリガの解放のいずれか１つについて監査形跡を記録させる、物品。
【請求項３３】
請求項２５記載の物品において、前記命令は、前記プロセッサに、業務サイクル・インスタンスを作成させ、前記業務サイクル・インスタンスの状態をアクティブに維持させ、業務サイクル・インスタンスの開始または終了を検出させる、物品。